(57)【要約】【課題】操作感がよく、かつ、誤操作を防止でき、構造の簡素化や省スペース化が図れる操作装置を提供する。【解決手段】操作装置１００は、操作ノブ１と、被制御部材と連結される制御部材２と、操作ノブ１及び制御部材２が取り付けられており、操作ノブ１の操作を制御部材２へ伝えるように操作ノブ１の操作により駆動されるベルト部材４と、ベルト部材４の駆動をガイドするプーリー部材３とを備えることを特徴とする。【選択図】図１
2015098219.tif 000002
【特許請求の範囲】
【請求項１】
操作ノブと、
被制御部材と連結される制御部材と、
前記操作ノブ及び前記制御部材が取り付けられており、前記操作ノブの操作を前記制御部材へ伝えるように前記操作ノブの操作により駆動されるベルト部材と、
を備えることを特徴とする操作装置。
【請求項２】
請求項１に記載の操作装置において、
前記ベルト部材の駆動をガイドするプーリー部材を有すること、
を特徴とする操作装置。
【請求項３】
請求項２に記載の操作装置において、
前記プーリー部材は、前記操作ノブの直線移動方向に対して前記制御部材の直線移動方向に角度を持たせるように配置されていること、
を特徴とする操作装置。
【請求項４】
請求項１から請求項３までのいずれか１項に記載の操作装置において、
前記操作ノブの操作位置を表示する表示部を有する操作パネルを有し、
前記ベルト部材は、前記操作ノブが前記表示部の表面上で移動するように配置されていること、
を特徴とする操作装置。
【請求項５】
請求項１から請求項３までのいずれか１項に記載の操作装置において、
前記操作ノブの操作位置を表示する表示部を有する操作パネルを有し、
前記ベルト部材は、前記操作ノブが前記表示部の外周面に沿って移動するように配置されていること、
を特徴とする操作装置。
【発明の詳細な説明】
【技術分野】
【０００１】
本発明は、車両のエアコンやオーディオ等の各種機器の操作に用いられる操作装置に関するものである。
【背景技術】
【０００２】
従来、車両のエアコン装置の操作を行うために、例えば、ダイヤル回転タイプや、レバースライドタイプや、プッシュスイッチタイプなどが用いられている。
【０００３】
例えば、ダイヤルを回動操作すると、シャフトが一体に回動し、ケーブル駆動部材の回動に伴いケーブルのインナワイヤを駆動する操作装置が特許文献１に開示されている。
【先行技術文献】
【特許文献】
【０００４】
【特許文献１】特開２００３−５４２４５号公報
【発明の概要】
【発明が解決しようとする課題】
【０００５】
しかし、従来の操作装置では、ダイヤルやレバーの操作力を伝達する伝達機構が支点を中心に回動することでケーブルのインナワイヤが駆動されるため、支点の作用側および力点側の両側において、この伝達機構が回動するスペースが必要であった。
また、レバーをスライドさせるタイプの操作装置では、レバーの腕長さを確保する必要があり、さらに、レバーの移動領域が必要なため、省スペース化が困難であるという問題があった。
【０００６】
また、操作装置には、操作者が夜間でも視認できるように、照明装置が設けられている。しかしながら、従来の操作装置では、その内部において、伝達機構が動作するスペースを確保するため、照明装置を設けることができる位置が限られてしまうという問題があった。
【０００７】
本発明は、構造の簡素化や省スペース化が図れる操作装置を提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。
【０００９】
請求項１の発明は、操作ノブ（１）と、被制御部材と連結される制御部材（２）と、前記操作ノブ及び前記制御部材が取り付けられており、前記操作ノブの操作を前記制御部材へ伝えるように前記操作ノブの操作により駆動されるベルト部材（４）と、を備えることを特徴とする操作装置（１００，１００Ａ，２００，３００，４００）である。
【００１０】
請求項２の発明は、請求項１に記載の操作装置において、前記ベルト部材（４）の駆動をガイドするプーリー部材（３，３Ａ，３Ｂ，３Ｃ）を有すること、を特徴とする操作装置（１００，１００Ａ，２００，３００，４００）である。
【００１１】
請求項３の発明は、請求項２に記載の操作装置において、前記プーリー部材（３Ｃ）は、前記操作ノブ（１）の直線移動方向に対して前記制御部材（２）の直線移動方向に角度を持たせるように配置されていること、を特徴とする操作装置（４００）である。
【００１２】
請求項４の発明は、請求項１から請求項３までのいずれか１項に記載の操作装置において、前記操作ノブ（１）の操作位置を表示する表示部（５２）を有する操作パネル（５）を有し、前記ベルト部材（４）は、前記操作ノブが前記表示部の表面上で移動するように配置されていること、を特徴とする操作装置（１００，２００，３００，４００）である。
【００１３】
請求項５の発明は、請求項１から請求項３までのいずれか１項に記載の操作装置において、前記操作ノブ（１）の操作位置を表示する表示部（５２）を有する操作パネル（５）を有し、前記ベルト部材（４）は、前記操作ノブ（１）が前記表示部の外周面（５２ａ）に沿って移動するように配置されていること、を特徴とする操作装置（１００Ａ）である。
【発明の効果】
【００１４】
本発明によれば、以下の効果を奏することができる。
【００１５】
（１）請求項１の発明によれば、ベルト部材は、操作ノブ及び被制御部材と連結される制御部材が取り付けられており、操作ノブの操作を制御部材へ伝えるように操作ノブの操作により駆動される。これにより、操作ノブの操作をベルト部材により制御部材へ伝えることができるので、回動するスペースが必要となる伝達機構を操作装置の内部に設ける必要がなくなる。よって、構造の簡素化及び省スペース化を図ることができる。
【００１６】
（２）請求項２の発明によれば、プーリー部材は、ベルト部材の駆動をガイドする。これにより、操作ノブの操作に応じてベルト部材が正確に駆動し、操作ノブの操作が確実に制御部材へ伝わるので、操作ノブが操作されたにもかかわらず制御部材が動かないような誤動作を防止できる。よって、構造の簡素化及び省スペース化を図りつつ、誤動作を防止できる。
【００１７】
（３）請求項３の発明によれば、プーリー部材は、操作ノブの直線移動方向に対して制御部材の直線移動方向に角度を持たせるように配置されている。これにより、操作ノブの直線移動方向に限らず、この方向に対して所定角度の直線移動方向に制御部材を移動させることができる。即ち、被制御部材を任意の位置に配置し、この被制御部材を動作させる方向に、制御部材の直線移動方向を合わせることができるので、操作装置内部のレイアウトの自由度が向上する。よって、構造の簡素化及び省スペース化を図りつつ、レイアウトの自由度を向上できる。
【００１８】
（４）請求項４の発明によれば、ベルト部材は、操作ノブが表示部の表面上で移動するように配置されている。これにより、回動するスペースが必要となる伝達機構と異なり、ベルト部材の裏面側にはスペースができるので、このスペースに、例えば、照明装置を配置し、操作パネルを明確に示すことで操作性を向上できる。よって、構造の簡素化及び省スペース化を図りつつ、操作性を向上できる。
【００１９】
（５）請求項５の発明によれば、ベルト部材は、操作ノブが表示部の外周面に沿って移動するように配置されている。これにより、操作ノブが表示部の表面上で移動するように配置した場合に比べ、表示部により多くの情報を表示することができる。また、表示部の裏面側にベルト部材を配置したので、回動するスペースが必要となる伝達機構と異なり、ベルト部材の裏面側にはスペースができる。このスペースに、例えば、照明装置を配置し、操作パネルを明確に示すことで操作性を向上できる。よって、構造の簡素化及び省スペース化を図ることができるとともに、表示部により多くの情報を表示しつつ、操作性を向上できる。
【図面の簡単な説明】
【００２０】
【図１】本発明の第１実施形態に係る操作装置１００を示す概略斜視図である。
【図２】第１実施形態の操作装置１００の平面図である。
【図３】第１実施形態の変形例に係る操作装置１００Ａを示す概略斜視図である。
【図４】本発明の第２実施形態に係る操作装置２００の平面図である。
【図５】本発明の第３実施形態に係る操作装置３００の平面図である。
【図６】本発明の第４実施形態に係る操作装置４００の平面図である。
【図７】本発明の第４実施形態に係る操作装置４００の平面図である。
【発明を実施するための形態】
【００２１】
以下、本発明を実施するための最良の形態について図面等を参照して説明する。
【００２２】
（第１実施形態）
図１は、本発明の第１実施形態に係る操作装置１００を示す概略斜視図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００２３】
第１実施形態の操作装置１００は、車両の空調機器の操作に用いられるものであり、操作ノブ１と、制御部材２と、プーリー部材３と、ベルト部材４と、操作パネル５とを備えている。
【００２４】
図２は、第１実施形態の操作装置１００の平面図である。
操作ノブ１は、基端がベルト部材４に固定され、操作パネル５の前面（図２中前面）側に突出し、利用者に把持され、操作パネル５の前面と平行な方向（図２中左右方向）に直線移動可能に構成されている。
【００２５】
制御部材２は、被制御部材（図示無し）と連結されている。詳細には、制御部材２は、ワイヤ接続部２１と、コントロールワイヤ２３を構成するインナワイヤ２２とアウタワイヤ２４、前記コントロールワイヤ２３のアウタワイヤ２４の端部を図示しない操作装置１００のボディの所定位置に固定する支持部６とを備える。
【００２６】
ワイヤ接続部２１は、基端がベルト部材４に固定され、操作パネル５の背面（図２中背面）側に突出し、利用者における操作ノブ１の操作に伴い移動するベルト部材４に追随して、操作パネル５の前面と平行な方向（図２中左右方向）に直線移動可能に構成されている。
【００２７】
インナワイヤ２２は、管状のアウタワイヤ２４が摺動可能に挿通しており、その一端２２１は、ワイヤ接続部２１に固定され、他端２２２が被制御部材と連結され、ワイヤ接続部２１の直線移動に追随して並行に直線移動可能に構成されている。
【００２８】
ここで、操作装置１００が接続されている被制御部材（図示無し）は、インナワイヤ２２の所定距離ｋの移動距離に応じて作動する。具体的には、被制御部材（図示無し）は、例えば、車内における内外気切り替え機能を有する場合、インナワイヤ２２が所定距離を移動することに応じて、他端２２２と連結されている被制御部材側のレバー機構が作動することで、被制御部材における通気路を切り替える図示しないフィンが切り替えられ、車内の空気を取り込んで循環させる内気循環機能と、外気を導入して循環させる外気導入機能と、を相互に切り替える。
【００２９】
プーリー部材３は、ベルト部材４の駆動をガイドする。詳細には、プーリー部材３は、同一外径の棒状体に形成された第１支点部３１及び第２支点部３２を備える。なお、プーリー部材３は、この形状に限られず、表面に凹凸のある歯車状としてもよく、ベルト部材４の内面に、その歯車と噛み合うように凹凸を形成してもよい。このようにすることで、ベルト部材４とプーリー部材３の動作をスムーズに追従させることができる。
【００３０】
第１支点部３１及び第２支点部３２は、操作装置１００のボディ（図示無し）における所定の位置において、操作パネル５の前面と平行な方向（図１に示す上下方向）に延びる軸芯を中心に回転自在に固定されている。
第１支点部３１及び第２支点部３２は、操作パネル５の前面と平行な方向（図２中左右方向）に配列され、互いの間隔が、所定距離ｋ（被制御部材（図示無し）を作動させるために必要なインナワイヤ２２の移動距離）より大きい寸法で配置されている。
【００３１】
ベルト部材４は、ベルト形状の環状体に形成され、プーリー部材３の第１支点部３１及び第２支点部３２に巻き回されている。
ベルト部材４には、第１支点部３１及び第２支点部３２を挟んで、操作パネル５の前面（図２中前面）側に操作ノブ１が取り付けられ、操作パネル５の背面（図２中背面）側に制御部材２のワイヤ接続部２１が取り付けられている。
ベルト部材４は、利用者による操作ノブ１を、操作パネル５の前面と平行な方向（図２中左右方向）に直線移動する操作を、制御部材２へ伝えるように、プーリー部材３の第１支点部３１及び第２支点部３２の回りを回転するように駆動される。
また、ベルト部材４は、操作ノブ１が操作パネル５の表面上で移動するように配置されている。具体的には、ベルト部材４は、操作ノブ１が取り付けられた部分が、操作パネル５の背面近傍に配置されている。
【００３２】
図１に示すように、操作パネル５は、本体５１と、表示部５２と、溝部５３とを備える。
本体５１は、簡略化して板状体として記載しているが、略箱状に形成した表示部５２を有するパネル部と、プーリー部材３及び支持部６を備え、前面にパネル部が組みつけられたボディで構成されている。
【００３３】
表示部５２は、本体５１の前面（図２中前面）側において、操作ノブ１の操作位置を表示する。具体的には、例えば、図１に示す例では、表示部５２には、操作ノブ１の操作位置として、溝部５３の左側に内気循環を示す表示が付され、溝部５３の右側に外気導入を示す表示が付されている。
【００３４】
溝部５３は、本体５１を貫通し、操作ノブ１が挿通して操作パネル５の前面と平行な方向（図２中左右方向）に直線移動可能に、形成されている。
具体的には、溝部５３は、挿通する操作ノブ１が所定距離ｋ（図２参照）移動可能な寸法の幅を有する。
【００３５】
次に、第１実施形態に係る操作装置１００の動作について説明する。
操作装置１００における車両の空調機器の操作のうち、外気導入から内気循環に切り替える場合について説明する。第１実施形態では、外気導入している場合、操作ノブ１は、表示部５２において外気導入を示す表示がされた右側に寄せられている。
【００３６】
まず、利用者は、操作ノブ１を摘まみ、表示部５２において内気循環を示す表示がされた左側に直線移動させる。これにより、ベルト部材４は、利用者における操作ノブ１の操作に追随して、第１支点部３１及び第２支点部３２を支点に右回りに回動する。
また、制御部材２のワイヤ接続部２１は、ベルト部材４に追随して、左から右に直線移動する。
そして、制御部材２のインナワイヤ２２は、ワイヤ接続部２１の直線移動に追随して、被制御部材（図示無し）の動作を外気導入機能から内気循環機能に切り替える。
【００３７】
以上説明したように、第１実施形態によれば、ベルト部材４は、操作ノブ１及び被制御部材と連結される制御部材２が取り付けられており、操作ノブ１の操作を制御部材２へ伝えるように操作ノブ１の操作により駆動される。これにより、操作ノブ１の操作をベルト部材４により制御部材２へ伝えることができるので、回動するスペースが必要となる伝達機構を操作装置の内部に設ける必要がなくなる。よって、構造の簡素化及び省スペース化を図ることができる。
また、プーリー部材３は、ベルト部材４の駆動をガイドする。これにより、操作ノブ１の操作に応じてベルト部材４が正確に駆動し、操作ノブ１の操作が確実に制御部材２へ伝わるので、操作ノブ１が操作されたにもかかわらず制御部材２が動かないような誤動作を防止できる。よって、構造の簡素化及び省スペース化を図りつつ、誤動作を防止できる。
さらに、ベルト部材４は、操作ノブ１が表示部５２の表面上で移動するように配置されている。これにより、回動するスペースが必要となる伝達機構と異なり、ベルト部材４の裏面側にはスペースができるので、このスペースに、例えば、照明装置を配置し、操作パネル５を明確に示すことで操作性を向上できる。よって、構造の簡素化及び省スペース化を図りつつ、操作性を向上できる。
【００３８】
（第１実施形態の変形例）
図３は、第１実施形態の変形例に係る操作装置１００Ａを示す概略斜視図である。なお、図３では、説明便宜のため、操作パネルは、表示部５２の外周面５２ａのみを点線で示している。
変形例の操作装置１００Ａは、ベルト部材４の表示部５２に対する配置が第１実施形態の操作装置１００と異なる他は、第１実施形態の操作装置１００と同様である。よって、前述した第１実施形態と同様の機能を果たす部分には、同一の符号を付して、重複する説明を適宜省略する。
【００３９】
第１実施形態の変形例に係る操作装置１００Ａにおいて、ベルト部材４は、操作ノブ１が操作パネル５の表示部５２の外周面５２ａに沿って移動するように配置されている。
詳細には、操作装置１００Ａにおいて、プーリー部材３の第１支点部３１及び第２支点部３２は、操作装置１００のボディ（図示無し）における所定の位置において、操作パネル５の前面と直交する方向（図３中前面背面方向）に延びる軸芯を中心に回転自在に固定されている。
【００４０】
そして、操作装置１００Ａにおいて、ベルト部材４には、第１支点部３１及び第２支点部３２を挟んで、下側が表示部５２の外周面５２ａに沿って配置され操作ノブ１が取り付けられ、上側に制御部材２のワイヤ接続部２１が取り付けられている。
【００４１】
以上説明したように、第１実施形態の変形例によれば、ベルト部材４は、操作ノブ１が表示部５２の外周面５２ａに沿って移動するように配置されている。これにより、操作ノブ１が表示部５２の表面上で移動するように配置した場合に比べ、表示部５２により多くの情報を表示することができる。
また、例えば、表示部５２の裏面側にベルト部材４を配置したので、回動するスペースが必要となる伝達機構と異なり、ベルト部材４の裏面側にはスペースができる。このスペースに、例えば、照明装置を配置し、操作パネル５を明確に示すことで操作性を向上できる。よって、構造の簡素化及び省スペース化を図ることができるとともに、表示部により多くの情報を表示しつつ、操作性を向上できる。
また、操作ノブ１を操作パネル５の下方に突出するように構成しているが、ワイヤ接続部２１と入れ替えて、操作ノブ１を上方に設けるようにしてもよい。
【００４２】
（第２実施形態）
図４は、第２実施形態に係る操作装置２００を示す概略平面図である。
第２実施形態の操作装置２００は、プーリー部材３Ａの第１支点部３１Ａ及び第２支点部３２Ａの外径が、第１実施形態のプーリー部材３の第１支点部３１及び第２支点部３２の外径と異なる他は、第１実施形態の操作装置１００と同様である。よって、前述した第１実施形態と同様の機能を果たす部分には、同一の符号を付して、重複する説明を適宜省略する。
【００４３】
プーリー部材３Ａの第１支点部３１Ａ及び第２支点部３２Ａの外径Ｒは、操作パネル５を背面から照らす照明装置１５０の幅Ｗより大きい寸法で形成されている。
これにより、ベルト部材４において、第１支点部３１Ａ及び第２支点部３２Ａを挟んで、互いに対向して配置される、操作ノブ１が取り付けられた前面（図４中前面）側と、制御部材２のワイヤ接続部２１が取り付けられた背面（図４中背面）側と、の間に形成されるスペースＳに、照明装置１５０を配置できる。
【００４４】
以上説明したように、第２実施形態によれば、ベルト部材４の前面側と背面側との間に形成されるスペースＳを有効に活用することができるので、構造の簡素化及び省スペース化を図りつつ、機能性を向上できる。
【００４５】
（第３実施形態）
図５は、第３実施形態に係る操作装置３００を示す概略平面図である。
第３実施形態の操作装置３００は、プーリー部材３Ｂが第１支点部３１及び第２支点部３２に加え、第３支点部３３及び第４支点部３４を備える点が第１実施形態の操作装置１００と異なる他は、第１実施形態の操作装置１００と同様である。よって、前述した第１実施形態と同様の機能を果たす部分には、同一の符号を付して、重複する説明を適宜省略する。
【００４６】
プーリー部材３Ｂは、同一外径の棒状体に形成された第１支点部３１、第２支点部３２、第３支点部３３及び第４支点部３４を備える。
【００４７】
第１支点部３１、第２支点部３２、第３支点部３３及び第４支点部３４は、操作装置３００のボディ（図示無し）における所定の位置において、操作パネル５の前面と平行な方向（図１に示す上下方向）に延びる軸芯を中心に回転自在に固定されている。
【００４８】
第１支点部３１及び第２支点部３２は、操作パネル５の前面と平行な方向（図２中左右方向）に配列され、互いの間隔が、所定距離ｋ（被制御部材（図示無し）を作動させるために必要なインナワイヤ２２の移動距離）より大きい寸法で配置されている。
【００４９】
第３支点部３３及び第４支点部３４は、第１支点部３１及び第２支点部３２より背面側に所定距離ｋ１下がった位置において、操作パネル５の前面と平行な方向（図２中左右方向）に配列され、互いの間隔が、所定距離ｋ（被制御部材（図示無し）を作動させるために必要なインナワイヤ２２の移動距離）より大きい寸法で配置されている。即ち、第１支点部３１、第２支点部３２、第３支点部３３及び第４支点部３４は、平面視で四角形の頂点に配置されている。
所定距離ｋ１は、操作パネル５を背面から照らす照明装置１５０の幅Ｗより大きい寸法で形成されている。
【００５０】
ベルト部材４は、ベルト形状の環状体に形成され、プーリー部材３Ｂの第１支点部３１、第２支点部３２、第３支点部３３及び第４支点部３４に巻き回されている。
ベルト部材４には、第１支点部３１及び第２支点部３２間に操作ノブ１が取り付けられ、第３支点部３３及び第４支点部３４間に制御部材２のワイヤ接続部２１が取り付けられている。
これにより、ベルト部材４において、第１支点部３１及び第２支点部３２間と、第３支点部３３及び第４支点部３４間と、の間に形成されるスペースＳ１に、照明装置１５０を配置できる。
【００５１】
以上説明したように、第３実施形態によれば、第１支点部３１及び第２支点部３２間と、第３支点部３３及び第４支点部３４間と、の間に形成されるスペースＳ１を有効に活用することができるので、構造の簡素化及び省スペース化を図りつつ、機能性を向上できる。
【００５２】
（第４実施形態）
図６は、第４実施形態に係る操作装置４００を示す概略平面図である。
第４実施形態の操作装置４００は、プーリー部材３Ｃが第１支点部３１及び第２支点部３２に加え、第３支点部３３を備える点が第１実施形態の操作装置１００と異なる他は、第１実施形態の操作装置１００と同様である。よって、前述した第１実施形態と同様の機能を果たす部分には、同一の符号を付して、重複する説明を適宜省略する。
【００５３】
プーリー部材３Ｃは、同一外径の棒状体に形成された第１支点部３１、第２支点部３２及び第３支点部３３を備える。
【００５４】
第１支点部３１、第２支点部３２及び第３支点部３３は、操作装置４００のボディ（図示無し）における所定の位置において、操作パネル５の前面と平行な方向（図１に示す上下方向）に延びる軸芯を中心に回転自在に固定されている。
【００５５】
第１支点部３１及び第２支点部３２は、操作パネル５の前面と平行な方向（図２中左右方向）に配列され、互いの間隔が、所定距離ｋ（被制御部材（図示無し）を作動させるために必要なインナワイヤ２２の移動距離）より大きい寸法で配置されている。
【００５６】
第３支点部３３は、第１支点部３１及び第２支点部３２より背面側に所定距離ｋ２下がった位置であって、第１支点部３１及び第２支点部３２の中間の位置に配置されている。即ち、第１支点部３１、第２支点部３２、第３支点部３３及び第４支点部３４は、平面視で三角形の頂点に配置されている。
【００５７】
ベルト部材４は、ベルト形状の環状体に形成され、プーリー部材３Ｃの第１支点部３１、第２支点部３２及び第３支点部３３に巻き回されている。
ベルト部材４には、第１支点部３１及び第２支点部３２間に操作ノブ１が取り付けられ、第２支点部３２及び第３支点部３３間に制御部材２のワイヤ接続部２１が取り付けられている。
【００５８】
即ち、プーリー部材３Ｃは、操作ノブ１の直線移動方向（第１支点部３１及び第２支点部３２間方向）に対して制御部材２の直線移動方向（第２支点部３２及び第３支点部３３間方向）に角度ｒを持たせるように配置されている。
【００５９】
図７は、第４実施形態に係る操作装置４００を示す概略平面図である。
図７に示す操作装置４００は、第１支点部３１及び第２支点部３２から第３支点部３３までの所定距離ｋ２が、図６に示す操作装置４００より大きい。
これにより、操作ノブ１の直線移動方向（第１支点部３１及び第２支点部３２間方向）に対する制御部材２の直線移動方向（第２支点部３２及び第３支点部３３間方向）の角度ｒが大きくなっている。
【００６０】
即ち、操作装置４００は、第１支点部３１及び第２支点部３２から第３支点部３３までの所定距離ｋ２を調整することで、操作ノブ１の直線移動方向に対する制御部材２の直線移動方向の角度ｒを調整できる。
【００６１】
以上説明したように、第４実施形態によれば、プーリー部材３Ｃは、操作ノブ１の直線移動方向に対して制御部材２の直線移動方向に角度を持たせるように配置されている。これにより、操作ノブ１の直線移動方向に限らず、この方向に対して所定角度の直線移動方向に制御部材２を移動させることができる。即ち、被制御部材を任意の位置に配置し、この被制御部材を動作させる方向に、制御部材２の直線移動方向を合わせることができるので、操作装置４００内部のレイアウトの自由度が向上する。よって、構造の簡素化及び省スペース化を図りつつ、レイアウトの自由度を向上できる。
【００６２】
（変形形態）
（１）第１実施形態において、ベルト部材４は、ベルト形状の環状体に形成され、プーリー部材３の第１支点部３１及び第２支点部３２に巻き回されている例を挙げて説明した。これに限らず、例えば、プーリー部材３を設けずに、ベルト部材４を、環状体にせず、ベルト形状の板状体で形成し、この板状体の両面において、操作パネル５の前面（図２中前面）側に操作ノブ１を取り付け、操作パネル５の背面（図２中背面）側に制御部材２のワイヤ接続部２１を取り付けてもよい。
【００６３】
（２）第２実施形態において、第１支点部３１Ａ及び第２支点部３２Ａの外径Ｒは、照明装置１５０の幅Ｗを基準に設定したが、これに限らず、スペースＳに収容する任意の部品の外形を基準に設定してもよい。
【００６４】
（３）第３実施形態において、第１支点部３１及び第２支点部３２と第３支点部３３及び第４支点部３４との間の距離である所定距離ｋ１は、照明装置１５０の幅Ｗを基準に設定したが、これに限らず、スペースＳ１に収容する任意の部品の外形を基準に設定してもよい。
【００６５】
（４）第４実施形態において、第１支点部３１及び第２支点部３２より背面側に所定距離ｋ２下がった位置に第３支点部３３を設けることで、操作ノブ１の直線移動方向に対して制御部材２の直線移動方向に角度ｒを持たせている例を挙げて説明した。これに限らず、例えば、第３支点部３３を設けずに、第１支点部３１の外径に比べ、第２支点部３２の外径を大きくすることで、操作ノブ１の直線移動方向に対して制御部材２の直線移動方向に角度ｒを持たせてもよい。
また、プーリー部材３の支点数やワイヤ接続部２１の位置を適宜変更して、制御部材２の向きや操作装置内の内部のスペースを変更してもよい。
【００６６】
（５）第４実施形態において、第３支点部３３を第１支点部３１及び第２支点部３２の中間の位置に配置し、第１支点部３１及び第２支点部３２から第３支点部３３までの所定距離ｋ２を調整することで、操作ノブ１の直線移動方向に対する制御部材２の直線移動方向の角度ｒを調整する例を挙げて説明した。これに限らず、例えば、所定距離ｋ２は変えずに、第３支点部３３を、第１支点部３１又は第２支点部３２のいずれかの方向に寄せることで、操作ノブ１の直線移動方向に対する制御部材２の直線移動方向の角度ｒを調整してもよい。
【００６７】
（６）各実施形態において、操作装置１００，１００Ａ，２００，３００，４００は、空調機器の操作を行うものである例を挙げて説明した。これに限らず、ワイヤで被制御機器を操作する操作装置であれば、他の機器の操作に本発明の操作装置を適用してもよい。
【００６８】
なお、各実施形態及び変形形態は、適宜組み合わせて用いることもできるが、詳細な説明は省略する。また、本発明は以上説明した各実施形態によって限定されることはない。
【符号の説明】
【００６９】
１      操作ノブ
２      制御部材
３，３Ａ，３Ｂ，３Ｃ  プーリー部材
４      ベルト部材
５      操作パネル
２１    ワイヤ接続部
２２    インナワイヤ
２３    アウタワイヤ
３１，３１Ａ  第１支点部
３２，３２Ａ  第２支点部
３３    第３支点部
３４    第４支点部
５１    本体
５２    表示部
５２ａ  表示部の外周面
５３    溝部
１００，１００Ａ，２００，３００，４００  操作装置
１５０  照明装置
２２１  インナワイヤの一端
２２２  インナワイヤの他端
Ｓ，Ｓ１  スペース
Ｒ      外径
Ｗ      幅
ｋ，ｋ１，ｋ２  所定距離
ｒ      角度
【図１】
2015098219.tif 000003
【図２】
2015098219.tif 000004
【図３】
2015098219.tif 000005
【図４】
2015098219.tif 000006
【図５】
2015098219.tif 000007
【図６】
2015098219.tif 000008
【図７】
2015098219.tif 000009